【手続補正書】
【提出日】平成20年11月12日(2008.11.12)
【手続補正１】
【補正対象書類名】特許請求の範囲
【補正対象項目名】全文
【補正方法】変更
【補正の内容】
【特許請求の範囲】
【請求項１】
電子写真の印刷物を形成する方法であって、
当該方法は、各々の側に書き込み可能なトナー受容体の層を備えた、像を受容する要素を提供することを含むと共に、
該トナー受容体の層の各々は、熱可塑性の重合体及び該トナー受容体の層の１０％の量で存在する粘土を含む溶融器の油の吸収剤の添加物を含むと共に、
当該方法は、
該像を受容する要素の少なくとも一つの側にトナーの像を形成すること、
該少なくとも一つのトナーの像を溶融させること、
ベルトの溶融器を通じて該像を受容する要素を通過させること
を含むと共に、
該ベルトの溶融器に対して該像を受容する要素の像を運ぶ側が、該ベルトの溶融器に隣接した該受容する要素の側に光沢のある表面を有する、ベルトで溶融された要素を提供するものである、方法。
【請求項２】
像作成された要素であって、
順番に、支持体、少なくとも一つのポリオレフィン樹脂のコーティング、及び、少なくとも一つのトナー受容体の層を含む像を受容する要素を含むと共に、
該トナー受容体の層は、溶融器の油の吸収剤の添加物及び熱可塑性の重合体を含むと共に該吸収剤の添加物は、該層の１０重量％と比べてより大きい量で存在するものであると共に、
該少なくとも一つのトナー受容体の層は、顔料及びビスフェノールＡのポリエステルを含むトナーから形成された、それの上に像を有すると共に、
該ベルトで溶融された側における該要素は、該要素のベルトで溶融すること又はカレンダー仕上げすることの後で、像を運ばないエリアにおいて６０と比べてより大きい６０°の光沢を有すると共に、他方の側は、ペンで書き込み可能なものである、像作成された要素。
【手続補正２】
【補正対象書類名】明細書
【補正対象項目名】０１０１
【補正方法】変更
【補正の内容】
【０１０１】
【表１】
2008522217.tif 000001
［付記］
付記（１）：電子写真の印刷物を形成する方法であって、当該方法は、各々の側に書き込み可能なトナー受容体の層を備えた、像を受容する要素を提供することを含むと共に、該トナー受容体の層の各々は、熱可塑性の重合体及び該トナー受容体の層の１０％の量で存在する溶融器の油の吸収剤の添加物を含むと共に、当該方法は、該像を受容する要素の少なくとも一つの側にトナーの像を形成すること、該少なくとも一つのトナーの像を溶融させること、ベルトの溶融器を通じて該像を受容する要素を通過させることを含むと共に、該ベルトの溶融器に対して該像を受容する要素の像を運ぶ側が、他方の側が書き込み可能な表面のままである一方で、該ベルトの溶融器に隣接した該受容する要素の側に光沢のある表面を有する、ベルトで溶融された要素を提供するものである、方法。
付記（２）：前記像を受容する要素は、順番に、支持体、少なくとも一つのポリオレフィン樹脂のコーティング、及び、少なくとも一つのトナー受容体の層を含むと共に、前記トナー受容体の層は、溶融器の油の吸収剤の添加物及び熱可塑性の重合体を含むと共に該添加物は、該層の１０重量％よりも大きい量で存在するものである、付記（１）に記載の方法。
付記（３）：前記熱可塑性の重合体は、カルボン酸を含有する重合体を含む、付記（１）に記載の方法。
付記（４）：前記熱可塑性の重合体は、低い酸価の重合体を含む、付記（１）に記載の方法。
付記（５）：前記ベルトで溶融された要素は、はがきを含む、付記（１）に記載の方法。
付記（６）：前記ベルトで溶融された要素は、グリーティングカードになるように、折りたたまれる、付記（１）に記載の方法。
付記（７）：前記ベルトで溶融された要素は、カレンダーを含む、付記（１）に記載の方法。
付記（８）：前記像を受容する要素は、前記トナー受容体の層の少なくとも一つに艶消しのビーズをさらに含む、付記（１）に記載の方法。
付記（９）：前記ベルトで溶融された要素は、前記ベルトの溶融器に隣接した側の像作成されてないエリアにおいて６０よりも大きい６０°の光沢を有する、付記（１）に記載の方法。
付記（１０）：前記吸収剤の添加物は、粘土である、付記（１）に記載の方法。
付記（１１）：前記粘土は、モンモリロナイト、特にナトリウムモンモリロナイト、マグネシウムモンモリロナイト、及び／又は、カルシウムモンモリロナイト、ノントロナイト、バイデライト、ボルコンスコアイト、ヘクトライト、サポナイト、ソーコン石、ソボカイト、ステベンス石、スビンホルダイト、バーミキュライト、マガディアイト、ケニアイト、タルク、マイカ、カオリナイト（カオリン又はチャイナクレー）、Ｃｌｏｉｓｉｔｅ １５Ａのような有機粘土、及びそれらの混合物を含む、付記（１０）に記載の方法。
付記（１２）：前記吸収剤の添加物は、８８％よりも大きいＧＥの明るさを有する、付記（１）に記載の方法。
付記（１３）：前記吸収剤の添加物は、前記トナー受容体の層の１０重量パーセントと６０重量パーセントとの間の量で存在するものである、付記（１）に記載の方法。
付記（１４）：前記熱可塑性の重合体は、ポリエステルを含む、付記（１）に記載の方法。
付記（１５）：前記熱可塑性の重合体は、ポリエステルのアイオノマーを含む、付記（１）に記載の方法。
付記（１６）：前記熱可塑性の重合体は、架橋させられたカルボン酸を含有する重合体を含む、付記（１）に記載の方法。
付記（１７）：前記熱可塑性の重合体は、アクリル系の重合体を含む、付記（１）に記載の方法。
付記（１８）：前記熱可塑性の重合体は、ウレタンの重合体を含む、付記（１）に記載の方法。
付記（１９）：前記少なくとも一つのトナー受容体の層は、８ｇ／ｍ２と３５ｇ／ｍ２の間の乾燥の有効範囲を有する、付記（１）に記載の方法。
付記（２０）：前記支持体は、ポリエチレン及び二酸化チタンの少なくとも一つの層を含む、付記（２）に記載の方法。
付記（２１）：前記カルボン酸の重合体は、１０と１００との間の酸価を有する、付記（３）に記載の方法。
付記（２２）：前記カルボン酸を含有する重合体は、アクリル酸、メタクリル酸、イタコン酸、マレイン酸、フマル酸、スチレンカルボン酸、及びそれらの混合物からなる群より選択されたエチレン性で不飽和の単量体から誘導されたカルボン酸基を有する重合体を含む、付記（３）に記載の方法。
付記（２３）：前記カルボン酸の重合体は、ウレタン−ビニル共重合体を含む、付記（３）に記載の方法。
付記（２４）：前記熱可塑性の重合体は、水に分散可能なポリエステル又はポリエステルのアイオノマーをさらに含む、付記（１）に記載の像を受容する要素。
付記（２５）：前記ポリエステル又はポリエステルのアイオノマーは、７５％までの量で存在するものである、付記（２４）に記載の像を受容する要素。
付記（２６）：前記ポリエステル又はポリエステルのアイオノマーは、前記熱可塑性の重合体の３５重量パーセントと７５重量パーセントとの間の量で存在するものである、付記（２４）に記載の像を受容する要素。
付記（２７）：像作成された要素であって、順番に、支持体、少なくとも一つのポリオレフィン樹脂のコーティング、及び、少なくとも一つのトナー受容体の層を含む像を受容する要素を含むと共に、該トナー受容体の層は、溶融器の油の吸収剤の添加物及び熱可塑性の重合体を含むと共に該吸収剤の添加物は、該層の１０重量％よりも大きい量で存在するものであると共に、該少なくとも一つのトナー受容体の層は、顔料及びビスフェノールＡのポリエステルを含むトナーから形成された、それの上に像を有すると共に、該ベルトで溶融された側における該要素は、該要素のベルトで溶融すること又はカレンダー仕上げすることの後で、像を運ばないエリアにおいて６０よりも大きい６０°の光沢を有すると共に、他方の側は、ペンで書き込み可能なものである、像作成された要素。
付記（２８）：前記要素は、ベルトで溶融させられない側における鉛筆での書き込み可能性を有する、付記（２７）に記載の像作成された要素。
付記（２９）：前記要素は、ベルトで溶融させられない側におけるボールペンでの書き込み可能性を有する、付記（２７）に記載の像作成された要素。